(57)【要約】【課題】展覧会等で複数の展示品を同時に展示する場合、整然とした美観を整えるための習慣として、展示品の下辺を一定の高さに揃える事が慣例化されており、その為の展示品位置決め測定具としての具は存在せず、従来の手作業による手順では、時間の短縮、測定の正確さ、作業人員の削減など実現出来なかった事を、解決する目的でなされたものである。【解決手段】額・パネル等、壁面に展示品を展示する場合の位置を決める作業の測定具１００であって、断面コ字状の長尺体１の上部端面に開口部２０を有するＬ型ツバ１０を設け、下方には等間隔を隔てて複数の寸法穴Ａ２〜Ａ１０を設け、略中央部には繰り出し式メジャー１１を取付け、上部に取っ手１３を備えた事を特徴とする展示品位置決め測定具１００。【選択図】      図１
2004271492.tif 000002
【特許請求の範囲】
【請求項１】
額・パネル等、壁面に展示品を展示する場合の位置を決める作業の測定具であって断面コ字状の長尺体の上部端面に開口部を有するＬ型ツバを設け、下方には等間隔を隔てて複数の寸法穴を設け、略中央部に繰り出し式メジャーを取付け、上部に取っ手を備えた事を特徴とする展示品位置決め測定具。
【発明の詳細な説明】
【０００１】
【発明に属する技術分野】
本発明は、展示作業を簡略化させるための測定具に関する。
【０００２】
【従来の技術】
展覧会等で複数の展示品を同時に展示する場合、整然とした美観を整えるための習慣として、展示品の下辺を一定の高さに揃える事が慣例化されており、その為の展示品位置決め測定具としての具は存在せず、その都度床面よりの高さを決める為に、糸を床面と平行に張りその高さを展示品の下辺と定めている。
それに展示品によって違う寸法の、吊るす長さをプラスし、同時に隣り合う展示品との間の距離を定規で測り、タテヨコ寸法が確定した位置にピンを打つ（又は、ワイヤーフック）で位置調整している。
【０００３】
【発明が解決しようとする課題】
従来の手作業では、展示品下辺の寸法を決めるための糸を床面と平行に張るが、糸の弛みによる不正確さや、個々の展示品の高さ違いを定規で測定、隣り合う展示品との間の距離を定規で測定、ピンを打ったり又はワイヤーフックの長さ調整等、非常に精密かつ繁雑な作業で、個人差が有り仕上がりが不統一でバランスに欠けるものである。しかも余分な人員や作業時間を要する事、各壁面を別人作業による陳列不統一な事等の問題があった。
【０００４】
【発明が解決しようとするための手段】
本発明の目的は従来の手作業による手順では、時間の短縮、測定の正確さ、作業人員の削減など実現出来なかった事を、解決する目的でなされたものである。本発明の壁面展示品位置決め測定具は、断面コ字状の長尺体の上部端面に開口部を有するＬ型ツバを設け、下方には等間隔を隔てて複数の寸法穴を設け、略中央部に繰り出し式メジャーを取付け、上部に取っ手を備えた事を特徴とする。
【０００５】
図６の（イ）（ロ）に示すようにこの展示位置決め測定具を用いて、前もって決めておいた展示品を壁面に掛けた時の床面から展示品下辺までの寸法Ａに対応する寸法穴を、Ａ２〜Ａ１０より選び、選んだ穴にボルトを挿入し展示品を吊るための吊ヒモ又は枠を掛けるボルト１２を設定する。
【０００６】
このとき定めたボルト１２の穴から床面までの寸法がＢとなる。図７はボルト１２に吊ヒモを掛け床面までの寸法Ｂを現わした部分拡大説明図である。ボトル１２に展示品を掛け図６（ロ）のように上部端面に設けられたＬ型ツバ１０に沿わせてピン２１を打つ。ピンを打つ状態を図３に示す。或はＬ型ツバ１０の開口部２０を利用してワイヤーフック２２を掛け展示高を決める。
【０００７】
展示高を示す式は（Ａ寸法＋Ｂ寸法＝展示高）でＡ寸法は会場等によって変り、Ｂ寸法は展示品の大きさ等によって変るが、吊ヒモの長さや大きさ等で展示品を吊る高さＢが変わっても、本測定具を用いれば展示品の下辺から床面までの寸法Ａは一定に揃える事が出来る。
【０００８】
そして繰り出し式メジャー１１により、隣り合う展示品との間の距離は取っ手１３で長尺体１を固定しながら片手でメジャーを繰り出し測定出来る。
【０００９】
床面からの展示品の下辺までの高さＡの寸法を換える場合でも、寸法穴Ａ２〜Ａ１０より選び換え、ボルト１２の位置を止め直す事で、床面から展示品下辺までの高さＡの寸法を換えることが出来る。
【００１０】
【発明の実施の形態】
以下本発明の実施の形態の一例を図面を参照して説明する。
図１は本実施例全体１００を示す図である。断面コ字状の長尺体１として長さ１３３０ｍｍ×巾４０ｍｍ×奥行２０ｍｍ×厚２ｍｍのアルミ製長尺体を用いた。
【００１１】
図２は本実施例の下方に有する寸法穴を示す部分拡大図である。この長尺体１の上部端面Ｌ型ツバ１０より下９００ｍｍの基点から下方へ９ツＡ２〜Ａ１０の寸法穴を設けた。その穴に直径８ｍｍのビス穴を５０ｍｍ間隔に設け、上部端面Ｌ型ツバ１０の下方に寸法穴Ａ２は９００ｍｍ、Ａ３は９５０ｍｍ、Ａ４は１０００ｍｍ、Ａ５は１０５０ｍｍ、Ａ６は１１００ｍｍ、Ａ７は１１５０ｍｍ、Ａ８は１２００ｍｍ、Ａ９は１２５０ｍｍ、Ａ１０は１３００ｍｍとし、床面から展示品下辺までの寸法Ａを換える場合の寸法穴とした。
【００１２】
図３は本実施例の上部端面にＬ型ツバ１０を示す部分拡大図である。このツバ１０は巾２５ｍｍ×奥行４０ｍｍ×厚さ１ｍｍの鉄製板を直角に曲げ、天井部に長径１５ｍｍ×短径８ｍｍの楕円形開口部２０を設けた。
このＬ型ツバ１０の位置が展示高を示す位置になり、その利用手段を２ツ設けた。１ツはＬ型ツバ１０に沿わせて固定するピン２１を打ったり、もう一つは楕円開口部２０にワイヤーフック２２を掛け展示高を固定する手段とした。
【００１３】
図４は上記寸法穴にボルトを挿入している事を示す説明図である。長さ６５ｍｍ×直径７．８ｍｍのボルトで先端部の３５ｍｍにネジが切られているボルト１２にナットをネジ込み、選定した寸法穴Ａ２〜Ａ１０のいづれかに挿入して蝶ネジ２３で固定する。
そのボルト１２の裏側に出ている長さ２８ｍｍの頭部分に展示品をヒモで吊るか枠に掛けるかしてボルト１２から床面までのＢ寸法をプラスし、Ａ寸法＋Ｂ寸法＝展示高が示すようにＬ型ツバ１０に沿わせて図３に示す様にピン２１を打つか、楕円開口部２０を利用してワイヤーフック２２を掛けて展示高を決める要とした。図６の（イ）（ロ）に示すようにこの展示位置決め測定具を用いて、前もって決めておいた展示品を壁面に掛けた時の床面から展示品下辺までの寸法Ａに対応する寸法穴を、Ａ２〜Ａ１０より選び、選んだ穴にボルトを挿入し展示品を吊るための吊ヒモ又は枠を掛けるボルト１２を設定した。図７はこのとき定めたボルト１２に吊ヒモを掛け床面までの寸法Ｂを現わした。
【００１４】
図５は本測定具にとりつけたメジャー１１を示す部分設明図である。本実施例では直径５０ｍｍ×厚さ２０ｍｍのケースに繰り出し部分２０００ｍｍを有するメジャーを長尺体１の上端から５００ｍｍ（中心部）に取付けた。また取っ手１３は同じく上端から３１０ｍｍ（中心部）に取付けた。
【００１５】
以下、本発明の展示品位置決め測定具を用いて実際に展示品の位置を決める手順について説明する。
図６の（イ）（ロ）に示すようにこの展示位置決め測定具を用いて、前もって決めておいた展示品を壁面に掛けた時の床面から展示品下辺までの寸法Ａに対応する寸法穴を、Ａ２〜Ａ１０より選び、選んだ穴にボルトを挿入し展示品を吊るための吊ヒモ又は枠を掛けるボルト１２を設定する。このボルトに展示品を掛け図６（ロ）のように上部端面に設けられたＬ型ツバ１０に沿わせてピン２１を打つ。或は開口部２０を利用してワイヤーフック２２を掛け展示高を決める。
【００１６】
そして繰り出し式メジャー１１により、隣り合う展示品との間の距離を取っ手１３で長尺体１を固定しながら片手でメジャーを繰り出し測定する手段とする。
【００１７】
最後に決められた展示高を固定する手段を２手段設け、１ツはボルト１２で展示品裏側の吊ヒモ又は枠を掛けてＬ型ツバ１０に沿わせてを固定するピン２１を打つ手段であり、もう一つは開口部２０へワイヤーフック２２をかけ、展示高を固定する手段である。
【００１８】
【発明の効果】
上述したように本発明の展示品位置決め測定具の操作手順として、まづ展示品の下辺高を決め、次に展示品の展示高を決め、同時に隣り合う展示品との距離を決めてから、指定場所を固定するピンを打ったり、ワイヤーフックを掛けたりする手順で進めるが、測定具の操作手順さえ覚えれば作業に個人差はあっても、仕上がりは正確で早く統一された展示が出来る。
【００１９】
一例として図６の（イ）（ロ）に示すようにこの展示位置決め測定具を用いて、前もって決めておいた展示品を壁面に掛けた時の、床面から展示品下辺までの寸法Ａに対応する寸法穴をＡ２〜Ａ１０より選ぶ事が出来る。選んだ穴にボルトを挿入し展示品を吊る為のボルト１２を固定し、それにＬ型ツバ１０に沿わせてピン２１を打つ、又は開口部２０を利用してワイヤーフック２２を掛け展示高Ａを決める事が出来る。同時にボルト１２から床面までの寸法Ｂも測る事が出来る。
【００２０】
床面からの展示品下辺の高さＡの寸法を換える場合でも、寸法穴Ａ２〜Ａ１０より選び換え、ボルト１２の位置を止め直す事で、床面から展示品下辺までの高さＡの寸法を換える事が出来る。
【００２１】
展示高を示す式は（Ａ＋Ｂ＝展示高）でＡは会場等によって下辺高が変り、Ｂは展示品の大きさ等でその都度変るが、Ｂの高さが変っても、ボルト１２を展示品の吊ヒモ又は枠に掛けるだけで寸法Ａは一定に揃える事が出来る。
【００２２】
隣り合う展示品との間の距離に於いても繰り出し式メジャー１１により、取っ手１３で長尺体１を固定したまま片手でメジャーを繰り出し測定出来る。
【００２３】
作業人員に於いても従来１ツの展示に対し分担作業の都合上４名の作業員を要したが、本発明の測定具を用いれば２人で正確な展示が出来、しかも手順に精通すれば１人でも正確な展示が可能である。
【００２４】
所要時間も従来１ツの展示に４人がかりで３分以上を要したが、本発明の測定具を用いれば、個人差を加えても２人で１〜２分で、早く正確な展示が出来る。
【図面の簡単な説明】
【図１】本発明の実施の形態の一例を示す説明図。
【図２】本発明の長尺体１の下方に位置する寸法穴Ａ２〜Ａ１０の説明図。
【図３】本発明のＬ型ツバ１０を示す部分拡大の説明図。
【図４】長尺体１の下方に位置する寸法穴に固定されるボルト１２の部分説明図。
【図５】本発明に備えられているメジャー１１及び取っ手１３を示す説明図。
【図６】本発明の測定具を実際に使用する状態を示す説明図。
【図７】本発明のボルト１２に吊ヒモを掛けた状態と寸法Ｂを現わす部分拡大説明図。
【符号の説明】
１    長尺体
Ａ２、Ａ３、Ａ４、Ａ５、Ａ６、Ａ７、Ａ８、Ａ９、Ａ１０  寸法穴
１０  Ｌ型ツバ
１１  繰り出し式メジャー
１２  ボルト
１３  取っ手
２０  開口部
【図１】
2004271492.tif 000003
【図２】
2004271492.tif 000004
【図３】
2004271492.tif 000005
【図４】
2004271492.tif 000006
【図５】
2004271492.tif 000007
【図６】
2004271492.tif 000008
【図７】
2004271492.tif 000009